(57)【要約】【課題】本願考案は、犬や猫のようなペットが避妊手術や内臓疾患の手術のために下腹部を開腹した後に、その縫合箇所を舐めたり引掻いたりできないようにしたペットの手術後の着衣を提供する。【解決手段】着衣１０に前足を挿通させる前足挿通部１３と後足を挿通させる後足挿通部１５とを形成し、しかも腹部には、後方に延長された延長部２２を形成し、しかもこの延長部２２の先端に伸縮性があるリブニット部材２３から成る押えを縫付け、これによって手術を行なった下腹部が露出されないようにするとともに、手術部位または患部は着衣１０の内側の腹部の部分に取付けられたゴムベルト２５で保持されるガーゼで覆われるようにしたものである。【選択図】図２
0003177632.tif 000002
【実用新案登録請求の範囲】
【請求項１】
ペットの胴の部分を覆う手術後の着衣において、
後部に後足の少なくとも付根の部分を挿通させる後足挿通部を有し、
腹部側には性器にかからないように下腹部を覆う延長部が形成されるとともに、該延長部の先端に伸縮性のある押えが取付けられているペット用の手術後の着衣。
【請求項２】
胴の前部に前足を入れる前足挿通部が設けられている請求項１に記載のペットの手術後の着衣。
【請求項３】
胴の胸部または上腹部を覆う位置に伸縮を防止する伸縮防止部材が胴回り方向に沿って取付けられている請求項１または２に記載のペットの手術後の着衣。
【請求項４】
胴の内側であって腹部と対向する位置に一対のゴムベルトが離間して取付けられ、該ゴムベルトによってガーゼを保持するようにした請求項１〜３の何れかに記載のペットの手術後の着衣。
【請求項５】
前記後足挿通部が筒状であって、後足の上半分を覆う請求項１〜４の何れかに記載のペットの手術後の着衣。
【請求項６】
前記後足挿通部が上方に切込まれて形成され、後足の上側部の筋肉が露出する請求項１〜４の何れかに記載のペットの手術後の着衣。
【請求項７】
前記下腹部を覆う延長部の先端の押えがリブ編のニットである請求項１〜６の何れかに記載のペットの手術後の着衣。
【請求項８】
前記胸部または上腹部を覆う位置に取付けられている伸縮防止部材がテープである請求項１〜７の何れかに記載のペットの手術後の着衣。
【考案の詳細な説明】
【技術分野】
【０００１】
本考案はペットの手術後の着衣に係り、とくに手術した部分を確実に覆うことによってペットが該手術部位を舐めないようにしたペットの手術後の着衣に関する。
【背景技術】
【０００２】
飼っているペットが子供を産まないようにするために、手術を行なう。例えば雌のペットの場合には、子宮を残して両側の卵巣の摘出による避妊手術をする。また雄のペットの場合には、睾丸を除去する去勢手術が一般に行なわれる。またペットが内臓疾患等に罹った場合には、適宜手術が行なわれる。とくに腹部の開腹手術による内臓の治療が行なわれることが多い。
【０００３】
ペットがこのように手術を行なった後そのままの状態で放置しておくと、ペットが自分で手術部位であって縫合糸が露出している部分を舐めたり引掻いたりする可能性があり、とくに舐めると手術した部位を化膿させたり、あるいはまた出血させたりする可能性がある。
【０００４】
そこで従来は、手術した後にペットの首の部分に、特開２００３−００９７０３号公報や特開２００７−０８９５５２号公報に開示されているエリザベスカラーと称される円錐状のカラーを装着し、このカラーによってペットが自ら手術部位を接触できないようにする等の対策がなされている。ところがエリザベスカラーは、ペット、すなわち犬や猫に対して大きなストレスを与え、食事の際にもエリザベスカラーが邪魔になる。またエリザベスカラーを装着すると、ドーム型のトイレに犬や猫が入れなくなる。これはカラーがドーム型トイレの入口の開口のエッジに接触するからである。
【先行技術文献】
【特許文献】
【０００５】
【特許文献１】特開２００３−００９７０３号公報
【特許文献２】特開２００７−０８９５５２号公報
【考案の概要】
【考案が解決しようとする課題】
【０００６】
本願考案の課題は、着用すると、手術後においてペットが手術部位または患部を舐めたり触ったりできないようにしたペットの手術後の着衣を提供することである。
【０００７】
本願考案の別の課題は、下腹部の手術を行なった後に、該部位をペットが舐めたり手足で触ったりできないようにしたペットの手術後の着衣を提供することである。
【０００８】
本願考案のさらに別の課題は、エリザベスカラーによるストレスを解消し、これによって手術後におけるペットの生活の質を改善するようにしたペットの手術後の着衣を提供することである。
【０００９】
本願考案の上記の課題および別の課題は、以下に述べる本願考案の技術的思想、およびその実施の形態によって明らかにされる。
【課題を解決するための手段】
【００１０】
本願の主要な考案は、ペットの胴の部分を覆う手術後の着衣において、
後部に後足の少なくとも付根の部分を挿通させる後足挿通部を有し、
腹部側には性器にかからないように下腹部を覆う延長部が形成されるとともに、該延長部の先端に伸縮性のある押えが取付けられているペット用の手術後の着衣に関するものである。
【００１１】
ここで、胴の前部に前足を入れる前足挿通部が設けられていてよい。また胴の胸部または上腹部を覆う位置に伸縮を防止する伸縮防止部材が胴回り方向に沿って取付けられていてよい。また胴の内側であって腹部と対向する位置に一対のゴムベルトが離間して取付けられ、該ゴムベルトによってガーゼを保持するようにしてよい。また前記後足挿通部が筒状であって、後足の上半分を覆うようにしてよい。また前記後足挿通部が上方に切込まれて形成され、後足の上側部の筋肉が露出するようにしてよい。また前記下腹部を覆う延長部の先端の押えがリブ編のニットであってよい。また前記胸部または上腹部を覆う位置に取付けられている伸縮防止部材がテープであってよい。
【考案の効果】
【００１２】
本願の主要な考案は、ペットの胴の部分を覆う手術後の着衣において、後部に後足の少なくとも付根の部分を挿通させる後足挿通部を有し、腹部側には性器にかからないように下腹部を覆う延長部が形成されるとともに、該延長部の先端に伸縮性のある押えが取付けられるようにしたものである。
【００１３】
従ってこのようなペットの手術後の着衣によると、とくに下腹部を手術した場合に、この下腹部が延長部によって覆われることになる。しかも延長部の先端が伸縮性のある押えを備えており、このような押えによって延長部の先端が下腹部に密着するために、手術部位を舐めたり手足で引掻いたりすることが防止される。従って、手術部位を舐めたり引掻いたりすることによる化膿や出血を防止できる。また手術後においてこの着衣を着せることによって、エリザベスカラーの装着を不要にすることになる。従って手術後におけるペットの生活の質が改善される。
【図面の簡単な説明】
【００１４】
【図１】犬用の手術後の着衣の側面図である。
【図２】同着衣の底面図である。
【図３】犬用の手術後の着衣を裁断するための型紙の平面図である。
【図４】犬用の手術後の着衣を装着した犬の人形の外観斜視図である。
【図５】同仰向けの状態の平面図である。
【図６】猫用の手術後の着衣の側面図である。
【図７】同着衣の底面図である。
【図８】猫用の手術後の着衣の裁断のための型紙の平面図である。
【図９】手術後の着衣を装着した猫の外観斜視図である。
【図１０】同別の外観斜視図である。
【考案を実施するための形態】
【００１５】
以下本願考案を図示の実施の形態によって説明する。図１および図２は、犬の手術後の着衣を示しており、この着衣１０は、綿ニットを裁断して縫合したものであって、図１および図２に示すように前端側に円形の開口から成る首挿通部１１を備えている。この首挿通部１１の周囲にはリブニット部材１２が取付けられている。また着衣１０の前端側には前足挿通部１３が形成されるとともに、この前足挿通部１３の周囲にリブニット部材１４が縫付けられている。これに対して着衣１０の後側には、その下端側の部分に後足挿通部１５が連設されるとともに、この後足挿通部１５の開口縁部にリブニット部材１６が縫合わされている。
【００１６】
またこの着衣１０は図１に示すように、後部開口２０を備え、この後部開口２０によって犬の尻尾や肛門、あるいは性器を露出させるようにしている。なお後部開口２０の周囲にはゴムひも２１が挿通されている。また着衣１０の腹側の部分であってその後端の部分は延長部２２になっており、この延長部２２で犬の下腹部を覆うようにしている。なお延長部２２の先端側にはリブニット部材２３から成る押えが縫付けられており、これによって延長部２２の先端側が確実に犬の下腹部を押えるようにしており、下腹部が延長部２２との間で隙間を生じないようにしている。また着衣１０の胸部または上腹部の位置において、この着衣１０の周方向にテープ２４が縫付けられている。このテープ２４が伸縮防止部材を構成している。またこの着衣の胴の内側であって腹部と対向する位置には、前後に所定の間隔を隔てて互いに平行に一対のゴムベルト２５が取付けられている。ゴムベルト２５は、手術部位または患部を保護するガーゼを保持するためのものである。
【００１７】
図３はこのような犬の手術後の着衣を裁断するための型紙を示しており、図３Ｂに示す背中身頃と、図３Ａに示す腹身頃とを組合わせて縫合して製作されるようになっている。なお図３に示す型紙において、図３Ｂは背中の半体２８を示しており、図３Ａは、腹側の半体２９を示している。すなわち図３Ｂに示す半体２８を左右にそれぞれ裁断するとともに、図３Ａに示す腹部半体２９を左右にそれぞれ裁断し、これらを縫合わせることによって着衣１０が組立てられる。
【００１８】
図４および図５は、このような犬の手術後の着衣を、犬の形をした人形に装着した状態を示している。とくに図５は、手術後の着衣を装着した犬の人形を仰向けの状態で写真撮影したものであって、下腹部がこの手術後の着衣によって覆われていることが示されている。
【００１９】
このような犬の手術後の着衣は、そのほぼ全体が胴の部分を覆うようになっており、この着衣１０からは首と前足と後足とがそれぞれ首挿通部１１、前足挿通部１３、および後足挿通部１５から外に出るようになっている。そして胴のとくに胸部または上腹部のだぶつきがテープ２４から成る伸縮防止部材によって押えられ、犬の胴の部分に対してほぼタイトになる。ここで着衣１０は、とくに下腹部を覆う延長部２２を備え、しかも延長部２２の先端にリブニット部材２３から成る押えを縫付けるようにしている。従って避妊手術や内臓疾患等の手術であって、とくに下腹部を手術した場合において、この手術部位をより完全に延長部２２によって覆うことが可能になる。従って、下腹部の手術部位を直接舐めたり、あるいはまた手足で引掻いたりすることができなくなり、これによって手術部位が保護される。しかも手術部位または患部は、一対のゴムベルト２５によって保持されるガーゼで保護されるようになる。従って手術後において、首の部分に円錐状のカラー、すなわちエリザベスカラーを装着する必要がなくなる。エリザベスカラーを取付けないために、犬がストレスを感じなくなるとともに、食事やドーム型トイレに対する出入りを妨げられることがなくなり、これによって手術後における犬の生活の質の改善が図られる。
【００２０】
次に猫の手術後の着衣を図６〜図８によって説明する。図６および図７に示すように、着衣１０は基本的には犬のそれと共通であって、リブニット部材１２を備える首挿通部１１と、リブニット部材１４を備える前足挿通部１３と、リブニット部材１６を備える後足挿通部１５とを備えている。また尻尾や肛門、あるいは性器を露出させる後部開口２０を備えている。そしてとくに図５に示すように、猫の下腹部を覆う延長部２２が設けられ、この延長部２２の先端には押えを構成するリブニット部材２３が縫付けられる。また胸部または上腹部を覆う位置に伸縮防止部材を構成するテープ２４が縫付けられる。また猫の手術後の着衣の胴の内側であって腹部と対向する位置に一対のゴムベルト２５が取付けられている。ゴムベルト２５は、手術部位または患部を覆うガーゼを保持するためのものである。
【００２１】
図９および図１０は、このような猫の手術後の着衣を装着した猫を写真撮影した画像を示している。すなわち猫の胴の部分は、その下腹部も含めて大部分がこの手術後の着衣によって覆われることになる。従って手術後において、傷が癒える前の間においても、エリザベスカラーを装着する必要がない。
【００２２】
このような猫の手術後の着衣の特徴は、足挿通部１５にある。一般に猫は、その足の付根の部分であって外側部の筋肉が拘束されると、跳躍の運動機能が制限される。これによって動きが抑制されることになる。そこでこのような猫の運動機能を損なうことがないように、後部挿通部１５の大きさを大きくするとともに、上方に切込むようにして後足挿通部１５を形成している。このような構成によると、猫の跳躍のための後足の両側部の筋肉の動きが制限されず、自由な動きが可能になる。従って、跳躍運動を妨げられることがなく、猫の活動の自由度が高まる。
【００２３】
しかもこのような猫の手術後の着衣において、とくに猫の下腹部は先端にリブニット部材２３を備える延長部２２によって覆われるようになっている。従って避妊手術や内臓疾患のために下腹部を切開した場合においても、縫合部位がゴムベルト２５によって保持されるガーゼで覆われ、さらに延長部２２によって覆われ、しかもリブニット部材２３から成る押えによって延長部２２の後端が下腹部に密着するようになり、これによってとくに猫の手術後における下腹部を猫が舐めたり手足で引掻いたりすることがなくなり、下腹部の手術部位が確実に保護される。またこのような着衣１０を装着することによって、首の部分にエリザベスカラーを装着する必要がなくなり、猫に対するストレスを緩和できる。
【００２４】
なおこのような猫の手術後の着衣は、図８Ｂに示す背中身頃の型紙と、図８Ａに示す腹身頃の型紙とを組合わせて縫合して製作される。なお図８Ｂは、背中身頃の半体を示し、図８Ａは、腹身頃の半体を示している。
【００２５】
以上本願考案を図示の実施の形態によって説明したが、本願考案は上記実施の形態によって限定されることなく、本願考案の技術的思想の範囲内において各種の変更が可能である。例えば上記実施の形態における後部開口２０の大きさやその形成位置は、犬や猫の体格に応じて任意に変更されてよい。また下腹部を覆う延長部２２の延長長さについても、犬や猫の手術部位に応じて任意に調整することが可能である。また図６および図７に示す猫の後部挿通部１５についても、足の付根の部分の筋肉の運動を拘束しない範囲内において、下方に向けて筒状に延長することが可能である。
【産業上の利用可能性】
【００２６】
本願考案は、ペットの手術後の着衣として利用可能である。
【符号の説明】
【００２７】
１０  着衣
１１  首挿通部
１２  リブニット部材
１３  前足挿通部
１４  リブニット部材
１５  後足挿通部
１６  リブニット部材
２０  後部開口
２１  ゴムひも
２２  延長部
２３  リブニット部材（押え）
２４  テープ（伸縮防止部材）
２５  ゴムベルト
２８  背中側半体
２９  腹側半体
【図１】
0003177632.tif 000003
【図２】
0003177632.tif 000004
【図３】
0003177632.tif 000005
【図６】
0003177632.tif 000006
【図７】
0003177632.tif 000007
【図８】
0003177632.tif 000008
【図４】
0003177632.tif 000009
【図５】
0003177632.tif 000010
【図９】
0003177632.tif 000011
【図１０】
0003177632.tif 000012